(57)【特許請求の範囲】
【請求項１】
開口枠に取付けられる開口枠側半部及びドア端部に取付けられるドア側半部を備え、開口枠側半部に設けられた少なくとも１本の鉛直軸、及びその鉛直軸に外嵌されるところの、ドア側半部に設けられた少なくとも１本の鉛直軸筒を介して、ドア側半部が、鉛直軸の周りに回動可能に連結され、それによって、開口枠に対してドアが回動自在に保持されるよう構成された蝶番であって、
前記ドア側半部は、ドア端部に埋設され、ドアから突出することなく固定されたドア側ベース部材と、及びドア側ベース部材に対して分離可能で、前記鉛直軸筒が挿入プレートの先端部に結合されてなる軸部材とを有し、
前記ドア側ベース部材には、ドアの表側から裏側に貫通し、前記軸部材の挿入プレートの後端部をドアの表側からも裏側からも差込み案内可能なスリットが形成されるとともに、該スリットに案内された挿入プレートを係止するロック機構が設けられ、前記ロック機構は、スプリングバネを介して前記スリット側に突出する２組のロックからなり、ドア表側の前記ロックの当接部はドア裏側から表側に向かって突出が小さくなるように滑らかに傾斜し、前記挿入プレートが前記スリットにドアの表側から案内された場合に限り前記挿入プレートの後端部に当接して、収縮し前記スリットとは逆側に格納されるようになっていて、一方、ドア裏側の前記ロックの当接部はドア表側から裏側に向かって突出が小さくなるように滑らかに傾斜し、前記挿入プレートが前記スリットにドアの裏側から案内された場合に限り前記挿入プレートの後端部に当接して、収縮し前記スリットとは逆側に格納されるようになっていることを特徴とする蝶番。
【請求項２】
開口枠に取付けられる開口枠側半部及びドア端部に取付けられるドア側半部を備え、開口枠側半部に設けられた少なくとも１本の鉛直軸、及びその鉛直軸に外嵌されるところの、ドア側半部に設けられた少なくとも１本の鉛直軸筒を介して、ドア側半部が、鉛直軸の周りに回動可能に連結され、それによって、開口枠に対してドアが回動自在に保持されるよう構成された蝶番であって、
前記ドア側半部は、ドア端部に埋設され、ドアから突出することなく固定されたドア側ベース部材と、及び前記鉛直軸筒が挿入プレートの先端部に結合されてなる軸部材とを有し、
前記ドア側ベース部材には、前記軸部材の挿入プレートの後端上下部に設けられた突起がドアの表側及び裏側に移動自在でかつ脱落不能に嵌め込まれた上下レール溝が形成されるとともに、該上下レール溝の中間を結ぶ位置には前記挿入プレートの突起を案内して突起を回転軸として鉛直軸筒をドア表側またはドア裏側に回転移動可能にする縦溝が形成され、しかも上下レール溝に突起とともに案内された挿入プレートを係止するロック機構が設けられていることを特徴とする。
【請求項３】
前記挿入プレートには孔が設けられ、前記ロック機構は、挿入プレートに当接する間は収縮するが前記孔の位置に達すると伸長して孔を係止することを特徴とする請求項１又は２に記載の蝶番。
【請求項４】
前記挿入プレートが係止された位置において、挿入プレートの孔にドライバー等の棒状先端部を前記ロック機構に当接させ押し込むことにより伸長したロック機構を収縮させて係止を解除することを特徴とする請求項３に記載の蝶番。
【請求項５】
前記縦溝は挿入プレート全体を格納可能な深さを有することを特徴とする請求項２に記載の蝶番。
【発明の詳細な説明】
【０００１】
【発明の属する技術分野】
本発明は、開口枠及びドアに取付けられ、ドアを回動自在に保持する蝶番であって、ドアが裏返して使用されるときにも付け替え不要であり、左右兼用ドアに便利な蝶番に関する。
【０００２】
【従来の技術】
従来、ドアに使用される蝶番として、開口枠に取付けられる開口枠側半部とドア側に取付けられるドア側半部が分離可能であって、上下抜き差し可能なものが多い。この蝶番には、ドアが開かれる側からみて、ヒンジが左側に位置する「左吊元用」と右側に位置する「右吊元用」の２種類があるが、表裏いずれかの側に偏って付けられているので、「左吊元用」、「右吊元用」の兼用が不可能であった。
【０００３】
そのため、一般には、ドア発注時に、「左吊元用」又は「右吊元用」の指定が必要であり、開口枠、ドアに、予めそれに対応する蝶番が取付けられ、出荷されている。従って、梱包時には、開口枠、ドアのいずれに対しても、「左吊元用」又は「右吊元用」の表示がされるが、それでも配送時に誤配されることがあった。また、製品の種類も、各型について、「左吊元用」、「右吊元用」の２種類が必要となるのであり、メーカーとしても、「左吊元用」、「右吊元用」の生産比率をどうするか、需要を予測しながら、操業を進めなければならなかった。
【０００４】
さらに、リフォーム等に伴って、一旦取付けられたドアの開き方向を変更する場合、上記従来の蝶番によっては、左右の変更は一切不可能である。
それに対して、出願人その他から左右兼用可能な蝶番が提案されている（実開平４−５２１７７、実開平４−４１０７５、実開昭５９−１７５５７３、実開昭５９−１４６４７７、実開昭５９−１２８８７６、実開昭５９−１０４７４、実開昭５８−１９５７６３、特開昭５７−６８４８２、特開昭５５−１６１７１、特開昭４８−５９２４３、実開平５−７５３７８、特開平１０−２４６０５５、実開平５−７５３７８）。
【０００５】
左右兼用可能な蝶番の一つとして旗蝶番と称されるものがある。これは、図８に示すように、開口枠に取付けられる、鉛直軸Ｘを持つ開口枠側半部９１、ドアに取付けられる、鉛直軸Ｘに外嵌される鉛直軸筒Ｐを持つドア側半部９２が、いずれも裏返されるか、同じ面内での反転させられることによって、左右兼用可能に構成されている。
【０００６】
また図９に示すもの（特開昭４８−５９２４３，特開昭５９−１２８８７６等）は、いずれも鉛直軸筒Ｐを持つ、２片の半部９５が、１本の鉛直軸Ｘを、鍔ＦＦを隔てて上下に共用するよう構成されており、図１０に示すように、開口枠１０又はドア２０に対していずれも裏返し、同じ面内での反転によって、軸筒の位置を変更可能に構成されている。
これは、ドア側半部がドアの表裏を２等分する平面に対して対称に形成され、ドアの表裏いずれの側にも偏らず付けられているため、ドアを鉛直中心線を軸に裏返し、左右逆にされ、鉛直軸Ｘ、鉛直軸筒Ｐが常にドアが開かれる側に来るよう取付けられれば、「左吊元用」、「右吊元用」いずれにも転換可能である。
【０００７】
すなわち、それによれば、例えば、ドアに一旦取付けられたもので、ドアの開き方向の変更が必要になった場合、先ずドア側半部は、その固定用のネジが全部取り外され、ドアから離された後、反転等され、再びドアに取付けられる。以上のようにして、ドアの開きの方向の変更はできるが、それには、上述のように、全ての固定用のネジ全部の取り外し、再度取付け等、かなりの手数が掛かるという問題点がある。
【０００８】
その他、この蝶番の取付け方向の変更によって、再度の取付け時にネジの締め付けが不十分であったり、同一の取付け穴が使用されると、ネジの保持力が大幅に低下してしまい、最悪の場合、ドアが脱落する恐れもある。
【０００９】
結局、現場でこの蝶番の取付け方向の変更作業を行うには、作業負担が大き過ぎ、特に短時間で、多数のドアを取付ける集合住宅の施工では、負担増は一層顕著となり、事実上不可能である。従って、左右兼用と称していても、実際には、工場出荷時の段階で、予めドアに取付けられ、梱包にそれぞれの「右吊元用」「左吊元用」といった、取付け方向を表示する従来からの処理が現在も一般的である。
【００１０】
なお、ネジの保持力低下に関して、補足すると、蝶番がドア本体に取付けられるネジ（強度上の理由から、３０〜４０ｍｍ程度の木ネジを４〜６個を必要とする。）は、完全に捩じ込まれていないと、ドアの開閉によって緩みが生じ、長期間使用していると脱落の恐れがあり、施工現場でこの作業を行うには、手回しのドライバーでは不十分で、電導ドライバー等の動力工具が必要である。作業者の熟練の程度によって、捩じ込み不十分で、強度の低下も懸念される。
さらに、蝶番が一旦取外され、再度取付けられるため、ドアには取付け穴の跡が多数残り、美観を損なうと同時に、木ネジ保持力が低下する恐れもある。
【００１１】
その他に、水平方向抜き差し型と称して、ドアのドア側半部に、ドアの表裏方向から開口枠側半部の水平片を挿入可能な挿入口が設けられた、左右兼用のものも提案されている（特開平９−３１７３００）。
これは、施工現場でのドアの開きの方向の変更の場合、ドアへのドア側半部の一旦撤去と再取付けといった作業は不要であるが、水平片の固定ネジに緩みが生じた場合に、ドアが脱落する恐れがある。また、開口枠側半部の位置変更は出来ないため、開口枠の左右兼用は不可能である。従って、開口枠は左右用が夫々別個に必要である。
【００１２】
また、ドア搬送時の梱包について考察すると、図８乃至図１０に示すものは鉛直軸筒Ｐがドアから突出するため、蝶番に傷のおそれがあったり、梱包が大掛かりとなるといった問題がある。なお、ドアハンドルＬについてはネジ１本で取り付けられているため搬送時には簡単に取り外し可能であるが、蝶番については４本〜６本の木ネジを必要とし取り外しに多くの時間がかかるため、蝶番を予めドアに取り付けた状態で出荷されるが一般的である。
【００１３】
すなわち、蝶番の鉛直軸筒Ｐが、図１０に示すように、ドア本体から突出しているため、外部からの衝撃により変形破損しやすい。
また、図１１に示すように、突出した蝶番の鉛直軸筒Ｐを保護するために、ドア梱包用ダンボール１０１の他に更に蝶番保護用緩衝材１０２を必要とする。更に鉛直軸筒Ｐ以外の平面部分は空洞部となるため、この部分にも高さ調整用緩衝材１０３等の充填材を必要とする。したがって、図１２に示すように、ドア単体を梱包した場合に比較して梱包の厚さは２倍以上となり、緩衝材の量も多くなる。しかも、空洞部分が大きいので梱包状態で積層すると不安定になりやすく、特にトラック等の搬送時には荷崩れの危険性がある。
【００１４】
また図８乃至図１０に示すような、上下抜き差し式の蝶番の場合、ドアを一旦持ち上げて開口枠側の鉛直軸Ｘに鉛直軸筒Ｐを落とし込むようにして取り付けるので、ドア上部にはこの鉛直軸Ｘの長さ以上の空間が必要で、最低１０ｃｍ程度の空間が無いとドアの取り付けができず、周囲の状況によっては取り付けが困難となってしまうという問題がある。
【００１５】
【発明が解決しようとする課題】
そこで本発明の目的とするところは、上記従来例の欠点を解消し、「左吊元用」「右吊元用」を別個に製造する必要がなく、しかも梱包や現場での取付けが簡単な両者兼用の蝶番を提供することにある。
【００１６】
【課題を解決するための手段】
上記の目的を達するために、請求項１に記載の発明は、開口枠（１０）に取付けられる開口枠側半部及びドア（２０）端部に取付けられるドア側半部（５０）を備え、開口枠側半部に設けられた少なくとも１本の鉛直軸（Ｘ）、及びその鉛直軸（Ｘ）に外嵌されるところの、ドア側半部（５０）に設けられた少なくとも１本の鉛直軸筒（Ｐ）を介して、ドア側半部（５０）が、鉛直軸（Ｘ）の周りに回動可能に連結され、それによって、開口枠（１０）に対してドア（２０）が回動自在に保持されるよう構成された蝶番であって、ドア側半部（５０）は、ドア（２０）端部に埋設され、ドア（２０）から突出することなく固定されたドア側ベース部材（５１）と、及びドア側ベース部材（５１）に対して分離可能で、鉛直軸筒（Ｐ）が挿入プレート（５３）の先端部に結合されてなる軸部材（５２）とを有し、ドア側ベース部材（５１）には、かつドアの表側から裏側に貫通し、前記軸部材（５２）の挿入プレート（５３）の後端部をドア（２０）の表側からも裏側からも差込み案内可能なスリット（５１ａ）が形成されるとともに、スリット（５１ａ）に案内された挿入プレート（５３）を係止するロック機構が設けられ、前記ロック機構は、スプリングバネ（３１，３２）を介して前記スリット（５１ａ）側に突出する２組のロック（３３，３４）からなり、ドア（２０）表側の前記ロック（３３）の当接部（３３ａ）はドア裏側から表側に向かって突出が小さくなるように滑らかに傾斜し、前記挿入プレート（５３）が前記スリット（５１ａ）にドア（２０）の表側から案内された場合に限り前記挿入プレート（５３）の後端部に当接して、収縮し前記スリット（５１ａ）とは逆側に格納されるようになっていて、一方、ドア（２０）裏側の前記ロック（３４）の当接部（３４ａ）はドア表側から裏側に向かって突出が小さくなるように滑らかに傾斜し、前記挿入プレート（５３）が前記スリット（５１ａ）にドア（２０）の裏側から案内された場合に限り前記挿入プレート（５３）の後端部に当接して、収縮し前記スリット（５１ａ）とは逆側に格納されるようになっていることを特徴とする。
【００１７】
請求項２に記載の発明は、開口枠（１０）に取付けられる開口枠側半部及びドア（２０）端部に取付けられるドア側半部（７０）を備え、開口枠側半部に設けられた少なくとも１本の鉛直軸（Ｘ）、及びその鉛直軸（Ｘ）に外嵌されるところの、ドア側半部（７０）に設けられた少なくとも１本の鉛直軸筒（Ｐ）を介して、ドア側半部（７０）が、鉛直軸（Ｘ）の周りに回動可能に連結され、それによって、開口枠（１０）に対してドア（２０）が回動自在に保持されるよう構成された蝶番であって、ドア側半部（７０）は、ドア（２０）端部に埋設され、ドア（２０）から突出することなく固定されたドア側ベース部材（７１）と、及び鉛直軸筒（Ｐ）が挿入プレート（７３）の先端部に結合されてなる軸部材（７２）とを有し、ドア側ベース部材（７１）には、軸部材（７２）の挿入プレート（７３）の後端上下部に設けられた突起（７３ｃ，７３ｄ）がドア（２０）の表側及び裏側に移動自在でかつ脱落不能に嵌め込まれた上下レール溝（７１ａ，７１ｂ）が形成されるとともに、上下レール溝（７１ａ，７１ｂ）の中間を結ぶ位置には挿入プレート（７３）の突起（７３ｃ，７３ｄ）を案内して突起（７３ｃ，７３ｄ）を回転軸として鉛直軸筒（Ｐ）をドア（２０）表側またはドア（２０）裏側に回転移動可能にする縦溝（７６）が形成され、しかも上下レール溝（７１ａ，７１ｂ）に突起とともに案内された挿入プレート（７３）を係止するロック機構が設けられていることを特徴とする。
【００１８】
請求項３に記載の発明は、請求項１又は２の発明の構成に加えて、挿入プレート（５３）には孔（５３ａ）が設けられ、前記ロック機構は、挿入プレート（５３）に当接する間は収縮するが孔（５３ａ）の位置に達すると伸長して孔（５３ａ）を係止することを特徴とする。
【００１９】
請求項４に記載の発明は、請求項３の発明の構成に加えて、挿入プレート（５３）が係止された位置において、挿入プレート（５３）の孔（５３ａ）にドライバー等の棒状先端部を前記ロック機構に当接させ押し込むことにより伸長したロック機構を収縮させて係止を解除することを特徴とする。
【００２０】
請求項５に記載の発明は、請求項２の発明の構成に加えて、縦溝（７６）は挿入プレート（７３）全体を格納可能な深さを有することを特徴とする。
【００２１】
なお、上記の課題を解決するための手段に記載された括弧内の記号は図面及び後述する発明の実施の形態に記載された記号に対応するものである。
【００２２】
請求項１に記載の発明によれば、挿入プレートに鉛直軸筒が結合されてなる軸部材は、ドア側ベース部材に対して分離可能で、ドア側ベース部材のスリットに簡単に差し込むだけでワンタッチでドア表側にもドア裏側にも何度でも取付けることができるので、左吊元用・右吊元用のいずれか現場の要求に簡単にかつ迅速に応じることができる。
これにより、軸部材だけをドア側ベース部材から取外した状態で梱包することができる。
【００２３】
また請求項２に記載の発明によれば、梱包時に多少は軸部材が突出するものの、ドア側ベース部材に対して軸部材は一体化されているので、軸部材のドア表側からドア裏側又は逆への移動に際して脱落が防止される。
【００２４】
更に請求項３に記載の発明によれば、請求項１又は２の発明の作用効果に加えて、ロック機構は、スプリングバネや板バネ等のバネ部材を使用したものであって、挿入プレートに当接する間は収縮するが挿入プレートの孔の位置に達すると伸長して孔を係止するものであるので、構造がシンプルである。
【００２５】
また請求項４に記載の発明によれば、請求項３の発明の作用効果に加えて、挿入プレートの孔にドライバー等の棒状先端部をロック機構に当接させ押し込むだけで伸長したロック機構を収縮させて係止を解除することができるので、構造がシンプルである。
【００２６】
また請求項５に記載の発明によれば、請求項２の発明の作用効果に加えて、縦溝は挿入プレート全体を格納可能な深さであるため、梱包時には鉛直軸筒だけが突出するものとなり、緩衝材の使用を軽減できる。
【００２７】
【発明の実施の形態】
本発明の実施形態例について図面を参照して説明すると、図１はドアの正面図，
図２は本発明の実施形態例を示す斜視図、図３は本発明の実施形態例を示す断面図、図４はドア側ベース部材に軸部材が装着された状態を示す断面図をそれぞれ示す。
【００２８】
図１により、開口枠１０について先ず説明すると、ドア２０を回動可能に保持する上下一対の蝶番Ｈ，Ｈが付けられた蝶番側縦枠材１１と，ハンドルＬの回動によってドア２０から進退するラッチＲ１を受け入れ可能なラッチ受け具Ｒ２が付けられた、蝶番側縦枠材１１と同長のラッチ受け具側縦枠材１２と，両者の上端部間に挿入、結合された上枠材１３と，より構成される。
【００２９】
蝶番Ｈは、開口枠１０に取付けられる開口枠側半部及びドア２０に取付けられるドア側半部５０よりなる。
開口枠側半部についてはここでは図示を省略するが、例えば従来例として図８で示した開口枠側半部９１のように、少なくとも１本（本実施形態例では１本）の鉛直軸Ｘが設けられている。またドア側半部５０には、鉛直軸Ｘに外嵌される、少なくとも１本（本実施形態例では１本）の鉛直軸筒Ｐが設けられている。この鉛直軸筒Ｐを介してドア側半部５０は、開口枠側半部９１に下から支えられると共に、鉛直軸Ｘの周りに回動可能に連結され、それによって、開口枠１０に対してドア２０が回動自在に保持されるよう構成されている。
【００３０】
さらに詳細に説明すると、ドア側半部５０は、ドア側ベース部材５１及び軸部材５２とを有する。
前者のドア側ベース部材５１は、ドア２０端部に埋設され、ドア２０から突出することなく、複数のネジによって固定される。すなわち、その幅はドア２０の端面の幅に等しく、ドア２０端面から、開口枠１０側に突出しないものである。後者の軸部材５２は、ドア側ベース部材５１に対して分離可能で、鉛直軸筒Ｐとそれが先端部に結合されてなる挿入プレート５３とからなる。なお、挿入プレート５３に対して鉛直軸筒Ｐは本実施形態例のように一体成形されたものでよく、
別体の鉛直軸筒Ｐが結合されたものでもよい。挿入プレート５３には孔５３ａが設けられているとともに後端部には矩形状の開口部５３ｂが設けられている。
【００３１】
ドア側ベース部材５１には、ドア２０の表側から裏側に貫通するスリット５１ａが形成されていて、このスリット５１ａに挿入プレート５３の後端部をドア２０の表側（図３において右側）からも裏側（図３において左側）からも差込み可能にされている。そして、ドア側ベース部材５１にはスリット５１ａに案内された挿入プレート５３を係止するロック機構が設けられている。
【００３２】
ロック機構は、スプリングバネ３１，３２を介してスリット５１ａ側に突出する２組のロック３３，３４からなる。
ドア２０表側のロック３３の当接部３３ａはドア裏側から表側に向かって突出が小さくなるように滑らかに傾斜し、挿入プレート５３がスリット５１ａにドア２０の表側から案内された場合に限り挿入プレート５３の後端部に当接して、収縮しスリット５１ａとは逆側に格納されるようになっている。一方、ドア２０裏側のロック３４の当接部３４ａはドア表側から裏側に向かって同じく突出が小さくなるように滑らかに傾斜し、挿入プレート５３がスリット５１ａにドア２０の裏側から案内された場合に限り挿入プレート５３の後端部に当接して、収縮しスリット５１ａとは逆側に格納されるようになっている。したがって、ロック３３は、スリット５１ａにドア２０の裏側から案内された挿入プレート５３後端部が当接しても突出状態のままであり、同様にロック３４は、スリット５１ａにドア２０の表側から案内された挿入プレート５３後端部が当接しても突出状態のままである。
【００３３】
またドア側ベース部材５１の、スリット５１ａを間にしてロック３３，３４に相対向する位置にはロック３３，３４による係止を解除するときに使用される開放窓３５，３６が形成されている。
【００３４】
スプリングバネ３１，３２は、通常、伸長してロック３３，３４をスリット５１ａ側に突出するように押圧している。
このとき、図３に示すように、ドア２０表側からスリット５１ａに挿入プレート５３後端部が案内され、挿入プレート５３後端部がロック３３に当接すると、ロック３３はスプリングバネ３１の収縮のはたらきにより格納される方向（図３において上側）に収縮し、ロック３３が挿入プレート５３の板面に接する間はこの状態が維持される。
【００３５】
そして、挿入プレート５３の案内にしたがって、挿入プレート５３に設けられた孔５３ａの位置が、ロック３３の位置にくるとロック３３は格納位置からスプリングバネ３１の押力によって孔５３ａから突出して挿入プレート５３を係止する。このとき、突出状態にあるロック３４は挿入プレート５３の開口部５３ｂの内部に納まり、挿入プレート５３の板面に接することがないようにされているので、突出状態でしかも係止しない状態である。
ロック３３による係止を解除させるには、ドア側ベース部材５１の開放窓３５から挿入プレートの孔５３ａにドライバー等の棒状先端部をロック３３に当接させ押し込むことにより行われる。すなわち、伸長したスプリングバネ３１は収縮させられ、ロック３３は格納位置に戻されるので係止が外される。なお、ロック３３を指先で押すことによって簡単に外せるようにすることも可能であるが、子供が不用意に押して蝶番が外れると危険であるのでドライバー等の工具を使用するようにした。
【００３６】
逆に、挿入プレート５３後端部がドア２０裏側からスリット５１ａに案内され、挿入プレート５３後端部がロック３４に当接すると、ロック３４はスプリングバネ３２の収縮のはたらきにより格納され、ロック３４が挿入プレート５３の板面に接する間はこの状態が維持される。
そして、挿入プレート５３の案内にしたがって、挿入プレート５３に設けられた孔５３ａの位置が、ロック３４の位置にくるとロック３４は孔５３ａから突出して挿入プレート５３を係止する。このとき、突出状態にあるロック３３は挿入プレート５３の開口部５３ｂの内部に納まり、挿入プレート５３の板面に接することがないようにされているので、突出状態でしかも係止しない状態である。
また同じようにロック３４による係止を解除させるには、ドライバー等の棒状先端部をロック３４に当接させ押し込むようにすればよい。
【００３７】
以上のように構成された蝶番によれば、鉛直軸筒Ｐが挿入プレート５３に結合されてなる軸部材５２は、ドア側ベース部材５１に対して分離型であり、ドア２０の表側からも裏側からも容易に取付けることができるので、現場の要求が左吊元用・右吊元用いずれであっても、その要求に迅速に対応可能である。
また、梱包時には軸部材５２を取外すことができるので、ドア表側又は裏側に鉛直軸筒Ｐが突出することはなく、図１２に示したように、ドア単体を梱包した場合と同様の厚さにすることができる。よって、特に緩衝材等を特に必要とすることなく梱包は簡単である。
【００３８】
なお、本実施形態において、２組のロック３３，３４とスプリングバネ３１，３２を使用して、ロック機構を構成したが、１組のロックとスプリングをドア側ベース部材５１の中央にもってくるようにしてもよい。また開放窓３５，３６を設けたが、ドア２０端部側全体を開放するようにしてもよい。
【００３９】
次に、本発明の第２の実施形態に係る蝶番について図５乃至図７を参照にして説明する。なお、上述した第１の実施形態に係る蝶番と同一部分には同一符号を記した。
本発明の第２の実施形態に係る蝶番は、開口枠１０に取付けられる開口枠側半部及びドア２０端部に取付けられるドア側半部７０を備え、開口枠側半部に設けられた鉛直軸Ｘ、及びその鉛直軸Ｘに外嵌されるところの、ドア側半部７０に設けられた鉛直軸筒Ｐを介して、ドア側半部７０が、鉛直軸Ｘの周りに回動可能に連結され、それによって、開口枠１０に対してドア２０が回動自在に保持されるよう構成された点で第１の実施形態に係る蝶番と共通する。
【００４０】
しかし、ドア２０の端部にドア２０から突出することなく埋設されたドア側ベース部材７１に対して、鉛直軸筒Ｐが挿入プレート７３の先端部に結合されてなる軸部材７２が分離できないように一体化されている点で、第１の実施形態に係る蝶番と大きく相違する。
【００４１】
つまり、ドア側ベース部材７１の上下には上下レール溝７１ａ，７１ｂが形成されていて、上下レール溝７１ａ，７１ｂには挿入プレート７３の後端上下部に設けられた突起７３ｃ，７３ｄがドア２０の表側及び裏側に移動自在に嵌め込まれている。また、上下レール溝７１ａ，７１ｂには嵌め込まれた挿入プレート７３の突起７３ｃ，７３ｄを脱落不能にするためのストッパー７５が上下にそれぞれ２個、計４個設けられている。
【００４２】
そして、ドア側ベース部材７１の、上下レール溝７１ａ，７１ｂの中間を上下に結ぶ位置には挿入プレート７３の突起７３ｃ，７３ｄを案内して、突起７３ｃ，７３ｄを回転軸として軸部材７２全体を、図７に示すように、ドア２０表側（図７において右側）からドア２０裏側（図７において左側）に、またはその逆のドア裏側から表側に、回転移動可能にする縦溝７６が形成されている。縦溝７６は挿入プレート７３全体を格納可能な深さをしている。これにより、鉛直軸筒Ｐの部分だけを残して梱包することができるので、梱包が比較的容易である。
しかもドア側ベース部材７１には第１の実施形態と同様に案内された挿入プレート７３を係止するロック機構であるスプリングバネ３１，３２とロック３３，３４とが設けられている。
【００４３】
軸部材７２のドア２０表側から裏側への移動について説明すると、図６に示すように係止された軸部材７２の挿入プレート７３に設けられた孔７３ａにドライバー等の棒状先端部をドア２０表側のロック３３に当接させて押し込むと係止が解除される。そして、挿入プレート７３をドア表側に水平移動させ、突起７３ｃ，７３ｄを縦溝７６の部分にもってきて、縦溝７６の空間を利用し、突起７３ｃ，７３ｄを回転軸の中心としてドア２０の裏側に回転させる（図７において時計回りに回転）。その後、ドア２０裏側にある挿入プレート７３をドア２０表側に水
平移動させると挿入プレート７３の孔７３ａにドア２０裏側のロック３４が係止され、移動が完了する。ドア２０裏側から表側への移動については、逆にすればよい。なお、挿入プレート７３に設けられた開口部７３ｂは、第１実施形態の開口部５３ｂと同じ役割をする。
【００４４】
なお本発明の実施形態では、ロック機構としてスプリングバネ３１，３２とロック３３，３４とを組合わせたものを使用したが、バネ部材であれな、例えば、これにかえて、ロック３３，３４全体を板バネにしてスプリングバネ３１，３２を省略したものであってもよい。
【００４５】
【発明の効果】
以上のとおり請求項１に記載の発明によれば、挿入プレートに鉛直軸筒が結合されてなる軸部材は、ドア側ベース部材に対して分離可能で、ドア側ベース部材のスリットに簡単に差し込むだけでワンタッチでドア表側にもドア裏側にも何度でも取付けることができるので、左吊元用・右吊元用のいずれか現場の要求に簡単にかつ迅速に応じることができる。また、ドア表側からドア裏側、あるいはその逆に移動させる場合に、従来のように木ネジ等を外したり取付けることは不要であるので、施工が簡単で、しかも木ネジ等の保持力の低下等のデメリットを考慮する必要はない。
【００４６】
また軸部材だけをドア側ベース部材から取外した状態で、すなわちドア単体と同様の梱包ができるので、搬送時に外部からの衝撃で変形破損するおそれはなく、搬送時の安定性が良い。しかも余分な緩衝材を必要としないのでコストの低廉が図れる。
【００４７】
さらに、上下抜き差し式の蝶番の場合、ドアを一旦持ち上げて開口枠側の鉛直軸に鉛直軸筒を落とし込むようにして取り付けるので、ドア上部にはこの鉛直軸の長さ以上の空間が必要で、最低１０ｃｍ程度の空間が無いとドアの取り付けができず、周囲の状況によっては取り付けが困難となってしまうが、本発明によれば、ドア側ベース部材に対して鉛直軸筒を有する軸部材を分離させそれだけを鉛直軸に落とし込み、その後、軸部材の挿入プレートをドア側ベース部材に差し込むことができるので、ドア周囲に障害物があったり、ドア上部に殆ど空間がない場合にでも対応できる。
【００４８】
また請求項２に記載の発明によれば、梱包時に多少は軸部材が突出するものの、ドア側ベース部材に対して軸部材は一体化されているので、軸部材のドア表側からドア裏側又は逆への移動に際して脱落が防止される。また、別梱包する必要がないので紛失の心配もなくなる。
【００４９】
更に請求項３に記載の発明によれば、請求項１又は２の発明の作用効果に加えて、ロック機構は、スプリングバネや板バネ等のバネ部材を使用したものであって、挿入プレートに当接する間は収縮するが挿入プレートの孔の位置に達すると伸長して孔を係止するものであるので、構造がシンプルである。
【００５０】
また請求項４に記載の発明によれば、請求項３の発明の作用効果に加えて、挿入プレートの孔にドライバー等の棒状先端部をロック機構に当接させ押し込むだけで伸長したロック機構を収縮させて係止を解除することができるので、構造がシンプルである。
【００５１】
また請求項５に記載の発明によれば、請求項２の発明の作用効果に加えて、縦溝は挿入プレート全体を格納可能な深さであるため、梱包時には鉛直軸筒だけが突出するものとなり、緩衝材の使用を軽減できる。
【図面の簡単な説明】
【図１】ドアの正面図である。
【図２】本発明の実施形態例を示す斜視図である。
【図３】本発明の実施形態例を示す断面図である。
【図４】ドア側ベース部材に軸部材が係止された状態を示す断面図である。
【図５】本発明の第２の実施形態例を示す斜視図である。
【図６】図５に示すドア側ベース部材に軸部材が係止された状態を示す断面図である。
【図７】図５に示すドア側ベース部材に対する軸部材の回転状態を示す模式図である。
【図８】従来例を示す斜視図である。
【図９】第２の従来例を示す斜視図である。
【図１０】図９の取付け位置の変更経緯を示す斜視図である。
【図１１】従来例に係る蝶番付きのドアを梱包した状態を示す断面図である。
【図１２】ドア単体を梱包した状態を示す断面図である。
【符号の説明】
１０      開口枠
１１      蝶番側縦枠材
１２      ラッチ受け具側縦枠材
１３      上枠材
２０      ドア
３１，３２    スプリングバネ
３３，３４    ロック
３３ａ，３４ａ    当接部
３５，３６    開放窓
５０      ドア側半部
５１      ドア側ベース部材
５１ａ    スリット
５２      軸部材
５３      挿入プレート
５３ａ    孔
５３ｂ    開口部
７０      ドア側半部
７１      ドア側ベース部材
７１ａ，７１ｂ    上下レール溝
７２      軸部材
７３      挿入プレート
７３ａ    孔
７３ｂ    開口部
７３ｃ，７３ｄ    突起
７５      ストッパー
７６      縦溝
９１      開口枠側半部
９２      ドア側半部
９５      半部
１０１      ドア梱包用ダンボール
１０２      蝶番保護用緩衝材
１０３      高さ調整用緩衝材
Ｈ        蝶番
Ｌ        ハンドル
Ｐ        鉛直軸筒
Ｒ１      ラッチ
Ｒ２      ラッチ受け具
Ｘ        鉛直軸
【図１】
0004175751.tif 000002
【図２】
0004175751.tif 000003
【図３】
0004175751.tif 000004
【図４】
0004175751.tif 000005
【図５】
0004175751.tif 000006
【図６】
0004175751.tif 000007
【図７】
0004175751.tif 000008
【図８】
0004175751.tif 000009
【図９】
0004175751.tif 000010
【図１０】
0004175751.tif 000011
【図１１】
0004175751.tif 000012
【図１２】
0004175751.tif 000013